(57)【要約】【課題】本発明は、冷凍サイクルと除湿ローターによる複合除湿運転を行う除湿装置において、内部乾燥を短時間で行うことを目的とする。【解決手段】本体ケース３内に、圧縮機５、放熱器６、膨張手段７、吸熱器８により形成した冷凍サイクル４を設け、吸気口１から吸気した空気を放熱器６、吸熱器８を順次介して排気口２へと送風する送風手段９を設け、放熱器６と吸熱器８の間に除湿ローター１１と除湿ローター駆動手段１２からなる除湿体１０を設け、放熱器６と吸熱器８の間に除湿ローター１１の放湿部１３を設け、除湿ローター１１の吸湿部１４は吸熱器８と排気口２の間に設け、放熱器６と除湿ローター１１の放湿部１３との間の風路には加熱手段１５を設け、その制御手段１７により、圧縮機５、除湿ローター駆動手段１２、加熱手段１５を停止し、送風手段９を運転することにより吸熱器８に付着した水滴を乾燥する内部乾燥運転を行う除湿装置が得られる。【選択図】図１
2014144416.tif 000002
【特許請求の範囲】
【請求項１】
吸気口と排気口を有する本体ケースと、この本体ケース内に設けられた冷凍サイクルとを備え、前記冷凍サイクルは、圧縮機と、この圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けると共に、この送風手段の風路であって、前記放熱器と前記吸熱器の間に除湿体を設け、この除湿体は除湿ローターと除湿ローター駆動手段を備え、前記放熱器と前記吸熱器の間に前記除湿ローターの放湿部を設け、この除湿ローターの吸湿部は前記吸熱器と前記排気口の間に設け、前記放熱器と前記除湿ローターの放湿部との間の風路には加熱手段を設け、前記本体ケース内に制御手段を備え、前記制御手段は所定時間、前記圧縮機、前記除湿ローター駆動手段、前記加熱手段を停止し、前記送風手段を運転することにより前記吸熱器に付着した水滴の乾燥を行う第１の内部乾燥運転を備えたことを特徴とする除湿装置。
【請求項２】
前記吸気口から前記本体ケース内に吸気した空気を前記吸熱器、前記送風手段を介して前記排気口へ連通するバイパス風路を設け、前記バイパス風路には、前記制御手段により前記バイパス風路の風量を調節することが可能な遮蔽板を設け、前記制御手段は、前記第１の内部乾燥運転開始と同時にこの遮蔽板を全開にする制御を行うことを特徴とする請求項１に記載の除湿装置。
【請求項３】
前記制御手段は所定時間、前記第１の内部乾燥運転の直前に、前記圧縮機および前記加熱手段を停止し、前記除湿ローター駆動手段、前記送風手段を運転する第２の内部乾燥運転を行う請求項１または２のいずれかに記載の除湿装置。
【請求項４】
前記制御手段は、前記第２の内部乾燥運転開始と同時にこの遮蔽板を全閉にする制御を行うことを特徴とする請求項３に記載の除湿装置。
【請求項５】
前記バイパス風路内に放電生成手段を設け、前記排気口には風向を調節するための回動自在の風向変更板を備え、前記制御手段は、前記第１の内部乾燥運転中に風向変更板を排気口に最も近づける制御を行う請求項１または２に記載の除湿装置。
【請求項６】
前記バイパス風路内に放電生成手段を設け、前記排気口には風向を調節するための回動自在の風向変更板を備え、前記制御手段は、前記第２の内部乾燥運転中に風向変更板を排気口に最も近づける制御を行う請求項３に記載の除湿装置。
【発明の詳細な説明】
【技術分野】
【０００１】
冷凍サイクルと除湿ローターによる複合除湿運転を行う除湿装置に関する。
【背景技術】
【０００２】
冷凍サイクルと除湿ローターによる複合除湿運転を行う除湿装置は、吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿体を設け、この除湿体は除湿ローターと除湿ローター駆動手段を備え、放熱器と吸熱器の間に除湿ローターの放湿部を設け、この除湿ローターの吸湿部は吸熱器と排気口の間に設け、前記放熱器と前記除湿ローターの放湿部との間の風路には加熱手段を設ける構成となっており、前記吸熱器で空気中の水蒸気を結露水として回収し、除湿を行っている。
【０００３】
この種の除湿装置は、「内部乾燥モード」を備えたものが知られており、除湿装置を長期間使用せずに収納する場合などに吸熱器に付着した水滴を乾燥させて黴や臭いの発生を防止する（例えば特許文献１参照）。
【０００４】
従来、この種の除湿装置の「内部乾燥モード」では、吸熱器に付着した水滴を短時間で乾燥させるために加熱手段を運転し、除湿ローターを介して吸熱器の昇温を行い、同時に除湿ローターの温度過昇を防ぐために駆動手段を用いて除湿ローターを回転させる制御を行っていた。
【先行技術文献】
【特許文献】
【０００５】
【特許文献１】特開２００７−２６０５２４号公報
【発明の概要】
【発明が解決しようとする課題】
【０００６】
上記従来例の課題は、除湿ローターの吸放湿動作に伴い、吸熱器に高湿空気が供給され、吸熱器の乾燥を妨げるということであった。
【０００７】
すなわち、この種の除湿装置は、吸熱器を通過した空気が除湿ローターを介して室内へ放出される構成となっており、加熱手段を用いた従来の内部乾燥運転の制御手段では、除湿ローターを回転させる制御を行っているので、吸熱器で蒸発した水分が除湿ローターの吸湿部で吸着され、除湿ローター駆動手段により放湿部に達し、加熱により再放出されていた。その結果、吸熱器に高湿空気が供給され、結論として、乾燥にかかる時間を長期化させていた。
【０００８】
そこで本発明は、内部乾燥をより短時間で行うことを目的とするものである。
【課題を解決するための手段】
【０００９】
そして、この目的を達成するために、本発明は、吸気口と排気口を有する本体ケースと、この本体ケース内に設けられた冷凍サイクルとを備え、前記冷凍サイクルは、圧縮機と、この圧縮機の下流に順次設けた放熱器、膨張手段、吸熱器とにより形成し、前記吸気口から本体ケース内に吸気した空気を前記放熱器、前記吸熱器を順次介して排気口へと送風する送風手段を設けると共に、この送風手段の風路であって、前記放熱器と前記吸熱器の間に除湿体を設け、この除湿体は除湿ローターと除湿ローター駆動手段を備え、前記放熱器と前記吸熱器の間に前記除湿ローターの放湿部を設け、この除湿ローターの吸湿部は前記吸熱器と前記排気口の間に設け、前記放熱器と前記除湿ローターの放湿部との間の風路には加熱手段を設け、前記本体ケース内に制御手段を備え、前記制御手段は、前記圧縮機、前記除湿ローター駆動手段、前記加熱手段を停止し、前記送風手段を運転することにより前記吸熱器に付着した水滴の乾燥を行う第１の内部乾燥運転を備え、これにより当初の目的を達成するものである。
【発明の効果】
【００１０】
本発明によれば、吸気口と排気口を有する本体ケースと、この本体ケース内に設けられた冷凍サイクルとを備え、前記冷凍サイクルは、圧縮機と、この圧縮機の下流に順次設けた放熱器、膨張手段、吸熱器とにより形成し、前記吸気口から本体ケース内に吸気した空気を前記放熱器、前記吸熱器を順次介して排気口へと送風する送風手段を設けると共に、この送風手段の風路であって、前記放熱器と前記吸熱器の間に除湿体を設け、この除湿体は除湿ローターと除湿ローター駆動手段を備え、前記放熱器と前記吸熱器の間に前記除湿ローターの放湿部を設け、この除湿ローターの吸湿部は前記吸熱器と前記排気口の間に設け、前記放熱器と前記除湿ローターの放湿部との間の風路には加熱手段を設け、前記本体ケース内に制御手段を備え、前記制御手段は、前記圧縮機、前記除湿ローター駆動手段、前記加熱手段を停止し、前記送風手段を運転することにより前記吸熱器に付着した水滴の乾燥を行う第１の内部乾燥運転を備え、前記吸熱器を通過した高湿度空気が前記吸湿部を通過する際に水蒸気を吸着し、前記放湿部で前記加熱手段により再放出する現象の発生をなくすことにより、前記吸熱器に供給される水蒸気を減らすことができ、結果として、前記吸熱器の乾燥速度を向上させることができる。
【図面の簡単な説明】
【００１１】
【図１】本発明の実施の形態１の除湿装置の概略断面図
【図２】同除湿装置の制御手段を示すブロック図
【図３】実施の形態２の除湿装置の概略断面図
【図４】同除湿装置の静電霧化手段を示す概略図
【発明を実施するための形態】
【００１２】
本発明によれば、吸気口と排気口を有する本体ケースと、この本体ケース内に設けられた冷凍サイクルとを備え、前記冷凍サイクルは、圧縮機と、この圧縮機の下流に順次設けた放熱器、膨張手段、吸熱器とにより形成し、前記吸気口から本体ケース内に吸気した空気を前記放熱器、前記吸熱器を順次介して排気口へと送風する送風手段を設けると共に、この送風手段の風路であって、前記放熱器と前記吸熱器の間に除湿体を設け、この除湿体は除湿ローターと除湿ローター駆動手段を備え、前記放熱器と前記吸熱器の間に前記除湿ローターの放湿部を設け、この除湿ローターの吸湿部は前記吸熱器と前記排気口の間に設け、前記放熱器と前記除湿ローターの放湿部との間の風路には加熱手段を設け、前記本体ケース内に制御手段を備え、前記制御手段は、前記圧縮機、前記除湿ローター駆動手段、前記加熱手段を停止し、前記送風手段を運転することにより前記吸熱器に付着した水滴の乾燥を行う第１の内部乾燥運転を備え、前記吸熱器を通過した高湿度空気が前記吸湿部を通過する際に水蒸気を吸着し、前記放湿部で前記加熱手段により再放出する現象の発生をなくすことにより、前記吸熱器に供給される水蒸気を減らすことができ、結果として、前記吸熱器の乾燥速度を向上させることができる。
【００１３】
また、本発明によれば、前記吸気口から前記本体ケース内に吸気した空気を前記吸熱器、前記送風手段を介して前記排気口へ連通するバイパス風路を設け、前記バイパス風路には、前記制御手段により前記バイパス風路の風量を調節することが可能な遮蔽板を設け、前記制御手段は、前記第１の内部乾燥運転開始と同時にこの遮蔽板を全開にする制御を行い、吸熱器に取り込まれる風量を増加させ、前記吸熱器に付着した水滴の乾燥を促し、結果として前記吸熱器の乾燥速度を向上させることができる。
【００１４】
また、本発明によれば、前記制御手段は所定時間、前記第１の内部乾燥運転の直前に、前記圧縮機および前記加熱手段を停止し、前記除湿ローター駆動手段、前記送風手段を運転し、前記除湿ローターに残存した熱を前記吸熱器に供給する第２の内部乾燥運転を行い、前記加熱手段を運転させることなく、前記吸熱器に付着した水滴の乾燥を促し、結果として前記吸熱器の乾燥速度を向上させることができる。
【００１５】
また、本発明によれば、前記第２の内部乾燥運転と同時にこの遮蔽板を全閉にする制御を行うことで、前記バイパス風路を遮蔽し、前記除湿ローターを通過した空気が前記吸熱器に供給されることにより、前記除湿ローターに残存した熱を前記吸熱器により多く取り込み、吸熱器に付着した水滴の乾燥を促し、結果として前記吸熱器の乾燥速度を向上させることができる。
【００１６】
また、本発明によれば、前記バイパス風路内に放電生成手段を設け、前記排気口には風向を調節するための回動自在の風向変更板を備え、前記制御手段は、前記第１または第２の内部乾燥運転中に風向変更板を排気口に最も近づける制御を行い、風路を閉塞することにより前記排気口の圧力損失を増加させ、前記バイパス風路内に放電生成物を取り込むことにより、前記吸熱器に放電生成物を供給し、吸熱器の黴や雑菌の発生を抑制することができる。
【００１７】
（実施の形態１）
以下本発明の一実施形態を添付図面を用いて説明する。
【００１８】
図１に示すごとく、本実施形態の除湿装置は、吸気口１と排気口２を有する本体ケース３と、この本体ケース３内に設けられた冷凍サイクル４とを備えている。冷凍サイクル４は、圧縮機５と、圧縮機５の下流に順次設けた放熱器６、膨張手段７、吸熱器８とにより形成している。
【００１９】
吸気口１から本体ケース３内に送風手段９により空気が吸気され、その吸気された空気が、放熱器６、吸熱器８を順次介して排気口２へと送風される。この送風手段９の風路であって、放熱器６と吸熱器８の間に除湿体１０を設け、この除湿体１０は除湿ローター１１と除湿ローター駆動手段１２とを備えている。
【００２０】
放熱器６と吸熱器８の間に除湿ローター１１の放湿部１３を、除湿ローター１１の吸湿部１４は吸熱器８と排気口２の間に設けている。前記放熱器６と前記除湿ローター１１の放湿部１３との間の風路には加熱手段１５を設けている。
【００２１】
圧縮機５で加圧された冷媒は、放熱器６に送られ、ここで吸気口１から本体ケース３内に吸気された空気を加熱する。次に、放熱器６を通過した冷媒は、温度が下がった状態で膨張手段７に到達し、その後、吸熱器８を介して、圧縮機５へと戻るサイクルになっている。
【００２２】
上記放熱器６で加熱された空気は、次に加熱手段１５でさらに加熱され、除湿ローター１１の放湿部１３を通過し、ここで放湿部１３からの湿気を奪った状態で吸熱器８へと流れ、この吸熱器で結露が行われ、この結露水は貯水タンク１６へと貯められることになる。
【００２３】
ここでまず、除湿運転時には、除湿ローター１１の放湿部１３を通過した空気は、吸熱器８で結露し、除湿が行われる。次に、吸熱器８を通過した空気は、この吸熱器８によって低温となるが、低温ながらも湿度は極めて高い状態となっている。この高い湿度を含んだ低温の空気は、次に除湿ローター１１の吸湿部１４を通過することになるのであるが、この吸湿部１４は、除湿ローター駆動手段１２により回転駆動されることにより、上方の放湿部１３部分ですでに放湿し、湿度が低い状態となっているものであるので、上記低温ながらも湿度は極めて高い状態の空気から湿気を吸湿することができる。
【００２４】
本実施形態において特徴は、図１に示すごとく、本体ケース３内に吸熱器８の第１の内部乾燥運転をする制御手段１７を備えたことである。
【００２５】
すなわち、第１の内部乾燥運転とは、図２に示すように、本体内で定めた時間だけ制御手段１７が圧縮機５、除湿ローター駆動手段１２、加熱手段１５を停止し、送風手段９を運転する制御を行うものである。まず、圧縮機５を停止したことにより吸熱器８を常温にする。そして、除湿ローター駆動手段１２、加熱手段を停止し、送風手段９を運転することにより、吸熱器８に常温、常湿の空気を送風することが可能となる。これにより、除湿運転中に吸熱器８に付着した水滴の乾燥を促進し、吸熱器８の乾燥時間の短縮が可能となる。更に、加熱手段１５を停止した制御を行うことにより、除湿ローター駆動手段１２を停止することが可能となるため、除湿ローター１１による吸放湿を防ぎ、吸熱器８に供給する空気がより乾燥したものとなる。
【００２６】
これらの結果により、吸熱器８に水滴が付着した状態で除湿装置を収納した場合などに発生が予測される黴や臭いの発生を防止することが可能となる。
【００２７】
また、本体ケース３内には、吸気口１から前記本体ケース３内に吸気した空気を吸熱器８、送風手段９を介して排気口２へ連通するバイパス風路１８を設けたものである。送風手段９を運転すると、吸気口１からバイパス風路１８内へ空気が吸い込まれ、吸熱器８へ送風される。このバイパス風路１８には遮蔽板１９と遮蔽板駆動手段２０とを設け、この遮蔽板駆動手段２０によって遮蔽板１９が回動する。制御手段１７によって、遮蔽板駆動手段２０を制御することにより遮蔽板１９を回動させ、バイパス風路１８の風量を調節することが可能である。
【００２８】
第１の内部乾燥運転時に、制御手段１７により遮蔽板１９を全開にする制御を行うことで、吸熱器８の乾燥速度をより短縮することが可能となる。すなわち、遮蔽板１９を全開にするということは、バイパス風路１８を通過する風量を最大にし、結果として、吸熱器８に通過する空気の風量を増加することが可能となる。
【００２９】
これらの結果により、吸熱器８に付着した水滴の乾燥を促進し、乾燥時間の短縮が可能となる。
【００３０】
また、制御手段１７は所定時間、第１の内部乾燥運転の直前に、制御手段１７により圧縮機５および加熱手段１５を停止し、除湿ローター駆動手段１２、送風手段９を運転し、除湿ローター１１に残存した熱を吸熱器８に供給する第２の内部乾燥運転を行ってもよい。前述の通り、除湿運転中の除湿ローター１１は、放熱器６もしくは加熱手段１５により、周囲よりも温められた状態となる。除湿運転終了直後に第２の内部乾燥運転を行うことにより、吸熱器８に供給される空気の温度を高い状態に保つことができ、結果として、吸熱器８に付着した水滴の乾燥を促し、結果として前記吸熱器の乾燥速度を向上させることが可能となる。
【００３１】
また、制御手段１７は、前記第２の内部乾燥運転と同時に遮蔽板１９を全閉にする制御を行うことが可能である。これにより、バイパス風路１８を遮蔽し、除湿ローター１１を通過した空気が吸熱器８に供給される。すなわち、除湿ローター１１に残存した熱を吸熱器８により多く取り込み、吸熱器８に付着した水滴の乾燥を促し、結果として吸熱器８の乾燥速度を向上させることが可能となる。
【００３２】
また、本実施形態の除湿装置は、図１および図３に示すごとく、バイパス風路１８内に放電生成手段２１を設けている。排気口２には風向を調節するための回動自在の風向変更板２２を備え、風向変更板駆動手段２３によって回動する。除湿運転時は図１に示した通り、風向変更板２２は排気口から遠ざかっている。これにより排気口が開放され、放電生成手段２１内にある連通路２４をバイパス風路から排気口に向かって空気が流れ、放電生成物を本体ケース３外に供給する。ここで、制御手段１７は、第１または第２の内部乾燥運転中に風向変更板２２を排気口に最も近づける制御を行う。これにより、排気風路を閉塞し、排気口２の圧力損失を増加させ、放電生成手段２１内にある連通路２４に流れる空気を、バイパス風路１８側に流出させ、バイパス風路１８内に放電生成物を取り込むことにより、吸熱器８に放電生成物を供給することが可能となる。
【００３３】
バイパス風路内に設けられた放電生成手段２１の一例を、図４に示す静電霧化手段２５として説明する。この静電霧化手段２５は、放電電極２６と、この放電電極２６に対向して配置された対向電極２７と、これらの対向電極２７と放電電極２６間に高電圧を印加する高電圧印加部２８と、放電電極２６を冷却する冷却部として配置したペルチェ素子２９の熱を放熱する放熱フィンとを備えている。ペルチェ素子２９は０．７５Ｖ〜２．８Ｖ程度の電圧を印加するものであり、この実施形態では、放電電極２６側を低温に、放熱フィン３０側を高温にする。よって、この連通路２４を通過する室内空気が、放電電極２６部分で冷却されることで、結露すると、帯電微粒子水が発生することになる。
【００３４】
帯電微粒子水が、バイパス風路１８を通じて、吸熱器８に供給されると、帯電微粒子水中のヒドロキシルラジカルが臭気成分や微生物を酸化分解して、脱臭または抗菌の作用を得ることができる。なお、ヒドロキシルラジカルはヒドロキシ基（水酸基）に反応するラジカルであり、このラジカルは通常２個１組で軌道上を回転しているはずの電子が１つしかなく、電気的に非常に不安定であり、周りの原子や分子から欠けた電子を奪おうとするため、酸化力が強いものである。この酸化作用により、吸熱器８の黴や雑菌の発生を抑制することが可能となる。
【産業上の利用可能性】
【００３５】
以上のように本発明にかかる除湿装置は、吸気口と排気口を有する本体ケースと、この本体ケース内に設けられた冷凍サイクルとを備え、前記冷凍サイクルは、圧縮機と、この圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けると共に、この送風手段の風路であって、前記放熱器と前記吸熱器の間に除湿体を設け、この除湿体は除湿ローターと除湿ローター駆動手段を備え、前記放熱器と前記吸熱器の間に前記除湿ローターの放湿部を設け、この除湿ローターの吸湿部は前記吸熱器と前記排気口の間に設け、前記放熱器と前記除湿ローターの放湿部との間の風路には加熱手段を設け、前記本体ケース内に制御手段を備え、前記制御手段は所定時間、前記圧縮機、前記除湿ローター駆動手段、前記加熱手段を停止し、前記送風手段を運転することによる内部乾燥運転を行い、前記吸熱器に付着した水滴の乾燥をより短時間で行うことを可能とするものである。
【００３６】
すなわち、内部乾燥運転を行う制御手段を備え、前記吸熱器に付着した水滴を短時間で乾燥させることで、除湿装置を使用せずに長期間収納する場合などに、黴や臭いの発生を防止し、除湿装置使用による不快感を軽減させることが可能となる。
【００３７】
従って、家庭用や事務所用などの除湿装置として活用が期待できる。
【符号の説明】
【００３８】
１  吸気口
２  排気口
３  本体ケース
４  冷凍サイクル
５  圧縮機
６  放熱器
７  膨張手段
８  吸熱器
９  送風手段
１０  除湿体
１１  除湿ローター
１２  除湿ローター駆動手段
１３  放湿部
１４  吸湿部
１５  加熱手段
１６  貯水タンク
１７  制御手段
１８  バイパス風路
１９  遮蔽板
２０  遮蔽板駆動手段
２１  放電生成手段
２２  風向変更板
２３  風向変更板駆動手段
２４  連通路
２５  静電霧化手段
２６  放電電極
２７  対向電極
２８  高電圧印加部
２９  ペルチェ素子
３０  放熱フィン
【図１】
2014144416.tif 000003
【図２】
2014144416.tif 000004
【図３】
2014144416.tif 000005
【図４】
2014144416.tif 000006